(57)【要約】      （修正有）【課題】温蔵室の時間情報に基づく時刻、および／または、冷蔵室の時間情報に基づく時刻に、温蔵運転、および／または、冷蔵運転を開始するタイマ運転を行うことができる貯蔵庫を提供する。【解決手段】温冷カート（貯蔵庫）は、温蔵室（第１の貯蔵室）と、冷蔵室（第２の貯蔵室）と、温蔵室（第１の貯蔵室）の室内温度を変更する第１の温度変更手段と、冷蔵室（第２の貯蔵室）の室内温度を変更する第２の温度変更手段と、温蔵室（第１の貯蔵室）または冷蔵室（第２の貯蔵室）における室内温度の変更を開始する時刻に関する時間情報を入力するための時間情報入力処理部（時刻情報入力手段）と、第１の温度変更手段及び第２の温度変更手段を個別に制御する制御部と、を備える。【選択図】図６
2019190715.tif 000002
【特許請求の範囲】
【請求項１】
第１の貯蔵室と、
第２の貯蔵室と、
前記第１の貯蔵室の室内温度を変更する第１の温度変更手段と、
前記第２の貯蔵室の室内温度を変更する第２の温度変更手段と、
前記第１の貯蔵室または前記第２の貯蔵室における室内温度の変更を開始する時刻に関する時間情報を入力するための時刻情報入力手段と、
前記第１の温度変更手段及び前記第２の温度変更手段を個別に制御する制御部と、を備え、
前記制御部は、
前記時刻情報入力手段において前記第１の貯蔵室における室内温度の変更を開始する時刻に関する時間情報が入力された場合に、その入力された情報に基づく時刻において、前記第１の温度変更手段の動作を開始する制御を行う第１制御部と、
前記時刻情報入力手段において前記第２の貯蔵室における室内温度の変更を開始する時刻に関する時間情報が入力された場合に、その入力された情報に基づく時刻において、前記第２の温度変更手段の動作を開始する制御を行う第２制御部と、を備える貯蔵庫。
【請求項２】
前記時刻情報入力手段に入力される時刻に関する時間情報は、その入力があった時から、入力された設定時間の経過後の時刻である請求項１に記載の貯蔵庫。
【請求項３】
前記第１の貯蔵室および／または前記第２の貯蔵室の室内温度を取得する温度取得手段と、
情報を表示可能な表示部と、を備え、
前記制御部は、
前記表示部に前記時間情報に基づく時刻に到達するまでの残り時間を表示させ、前記時間情報に基づく時刻に到達した後は、前記表示部に取得した前記室内温度を表示させる表示処理を実行する請求項２に記載の貯蔵庫。
【請求項４】
現在時刻を取得する時刻取得手段と、
前記第１の貯蔵室および／または前記第２の貯蔵室の室内温度を取得する温度取得手段と、
情報を表示可能な表示部と、を備え、
前記制御部は、
前記時間情報に基づく前記室内温度の変更を開始する時刻前は、前記現在時刻を表示させ、
前記時間情報に基づく前記室内温度の変更を開始する時刻後は、前記表示部に取得した前記室内温度を表示させる表示処理を実行する請求項１に記載の貯蔵庫。
【請求項５】
前記時刻情報入力手段に入力される時刻に関する時間情報を記憶する記憶手段を備え、
前記記憶手段は、前記時間情報を複数記憶可能とされ、
前記第１制御部および／または前記第２制御部は、前記記憶手段に複数記憶された時間情報毎に、前記第１の温度変更手段および／または前記第２の温度変更手段の動作を開始する請求項１から請求項４のいずれか１項に記載の貯蔵庫。
【請求項６】
前記時刻情報入力手段は、当該貯蔵庫とは分離された外部の端末である請求項１から請求項５のいずれか１項に記載の貯蔵庫。
【請求項７】
前記外部の端末から前記第１制御部および／または前記第２制御部の動作を開始する開始信号を取得する開始信号取得手段を備える請求項１から請求項６のいずれか一項に記載の貯蔵庫。
【発明の詳細な説明】
【技術分野】
【０００１】
本発明は、貯蔵庫に関する。
【背景技術】
【０００２】
従来、貯蔵庫として、例えば特許文献１に記載の配膳車に搭載されたものが知られている。特許文献１の配膳車は、冷蔵室と、温蔵室と、オペレーションパネルと、を備えており、オペレーションパネルには、温蔵運転スイッチ及び冷蔵運転スイッチが設けられている。温蔵運転スイッチを押すと、温蔵運転が開始され、冷蔵運転スイッチを押すと、冷蔵運転が開始される。
【先行技術文献】
【特許文献】
【０００３】
【特許文献１】特開２００８−９９８９２号公報
【発明の概要】
【発明が解決しようとする課題】
【０００４】
上記構成において、例えば、業務の開始までに温蔵室の予熱、および／または、冷蔵室の予冷をしておくには、前日に温蔵運転、および／または、冷蔵運転させておくか、翌日に早出して温蔵運転、および／または、冷蔵運転させる必要がある。
【０００５】
本発明は上記のような事情に基づいて完成されたものであって、温蔵室の時間情報に基づく時刻、および／または、冷蔵室の時間情報に基づく時刻に、温蔵運転、および／または、冷蔵運転を開始するタイマ運転を行うことができる貯蔵庫を提供することを目的とする。
【課題を解決するための手段】
【０００６】
上記課題を解決するために、本発明の貯蔵庫は、第１の貯蔵室と、第２の貯蔵室と、前記第１の貯蔵室の室内温度を変更する第１の温度変更手段と、前記第２の貯蔵室の室内温度を変更する第２の温度変更手段と、前記第１の貯蔵室または前記第２の貯蔵室における室内温度の変更を開始する時刻に関する時間情報を入力するための時刻情報入力手段と、前記第１の温度変更手段及び前記第２の温度変更手段を個別に制御する制御部と、を備え、前記制御部は、前記時刻情報入力手段において前記第１の貯蔵室における室内温度の変更を開始する時刻に関する時間情報が入力された場合に、その入力された情報に基づく時刻において、前記第１の温度変更手段の動作を開始する制御を行う第１制御部と、前記時刻情報入力手段において前記第２の貯蔵室における室内温度の変更を開始する時刻に関する時間情報が入力された場合に、その入力された情報に基づく時刻において、前記第２の温度変更手段の動作を開始する制御を行う第２制御部と、を備える。
【０００７】
入力された時間情報に基づく時刻までに第１の貯蔵室及び第２の貯蔵室の予熱又は予冷をしておくことが可能となる。また、第１の貯蔵室及び第２の貯蔵室の予熱又は予冷をしておくために、前日から貯蔵庫を運転させておく場合と比較して電気料金が削減される。また、当日の早朝に貯蔵庫を運転させる必要もなくなる。また、前もって入力された時間情報に基づく時刻を設定しておくことで、予熱又は予冷をし忘れることが抑制される。
また、例えば、第１の貯蔵室及び第２の貯蔵室を予熱及び予冷する際、第１の貯蔵室の設定温度に到達するまでの時間が第２の貯蔵室の設定温度に到達するまでの時間よりも早い場合に、第１の貯蔵室の時間情報に基づく時刻を第２の貯蔵室の時間情報に基づく時刻よりも遅い時刻に設定することで、それぞれ同じ時刻に設定する場合と比較して、第１の貯蔵室の運転時間が短くなり、効率的に運転させることができる。
【０００８】
また、前記時刻情報入力手段に入力される時刻に関する時間情報は、その入力があった時から、入力された設定時間の経過後の時刻である構成としても良い。
【０００９】
運転開始までの設定時間を設定することで、例えば、１時間後に運転を開始させたい場合、時刻で設定する場合と比較して、容易に設定することができる。
【００１０】
また、前記第１の貯蔵室および／または前記第２の貯蔵室の室内温度を取得する温度取得手段と、情報を表示可能な表示部と、を備え、前記制御部は、前記表示部に前記時間情報に基づく時刻に到達するまでの残り時間を表示させ、前記時間情報に基づく時刻に到達した後は、前記表示部に取得した前記室内温度を表示させる表示処理を実行する構成としても良い。
【００１１】
１つの表示部に、時間情報に基づく時刻前は残り時間を表示させ、時間情報に基づく時刻後は室内温度を表示させるようにすることで、異なる表示部にそれぞれ残り時間及び室内温度を表示させる場合と比較して、コストの低減を図ることができる。
【００１２】
また、現在時刻を取得する時刻取得手段と、前記第１の貯蔵室および／または前記第２の貯蔵室の室内温度を取得する温度取得手段と、情報を表示可能な表示部と、を備え、前記制御部は、前記時間情報に基づく前記室内温度の変更を開始する時刻前は、前記現在時刻を表示させ、前記時間情報に基づく前記室内温度の変更を開始する時刻後は、前記表示部に取得した前記室内温度を表示させる表示処理を実行する構成としても良い。
【００１３】
１つの表示部に、時間情報に基づく設定温度の変更を開始する時刻前は現在時刻を表示させ、時間情報に基づく設定温度の変更を開始する時刻後は室内温度を表示させるようにすることで、異なる表示部にそれぞれ現在時刻及び室内温度を表示させる場合と比較して、コストの低減を図ることができる。
【００１４】
また、前記時刻情報入力手段に入力される時刻に関する時間情報を記憶する記憶手段を備え、前記記憶手段は、前記時間情報を複数記憶可能とされ、前記第１制御部および／または前記第２制御部は、前記記憶手段に複数記憶された時間情報毎に、前記第１の温度変更手段および／または前記第２の温度変更手段の動作を開始する構成としても良い。
【００１５】
時間情報を複数記憶できるため、例えば、１日に、朝、昼、夕の３回予熱又は予冷をする必要がある場合に、まとめて時間情報を設定しておくことが可能となる。
【００１６】
前記時刻情報入力手段は、当該貯蔵庫とは分離された外部の端末である構成としても良い。
【００１７】
外部の端末（例えば、パーソナルコンピュータ、スマートフォン等）に入力された時間情報を取得することで、例えば、時間情報を変更する際に、貯蔵庫のある場所に移動しなくても変更することができる。
【００１８】
また、前記外部の端末から前記第１制御部および／または前記第２制御部の動作を開始する開始信号を取得する開始信号取得手段を備える構成としても良い。
【００１９】
外部の端末から開始信号を取得することで、貯蔵庫のある場所に移動しなくても貯蔵庫の第１制御部および／または第２制御部の動作を開始させることができる。
【発明の効果】
【００２０】
本発明によれば、温蔵室の時間情報に基づく時刻、および／または、冷蔵室の時間情報に基づく時刻に、温蔵運転、および／または、冷蔵運転を開始するタイマ運転を行うことができる貯蔵庫を提供することを目的とする。
【図面の簡単な説明】
【００２１】
【図１】温冷カートの斜視図
【図２】温蔵室、冷蔵室、及び機械室の位置を示す図
【図３】操作部の図
【図４】外部の端末と温冷カートとの関係を示す図
【図５】実施形態１における制御部のブロック図
【図６】実施形態１における第１制御部及び第２制御部のフロー図
【図７】実施形態１における第１の表示処理部及び第２の表示処理部のフロー図
【図８】実施形態２における制御部のブロック図
【図９】実施形態２における第１制御部及び第２制御部のフロー図
【図１０】実施形態２における第１の表示処理部及び第２の表示処理部のフロー図
【発明を実施するための形態】
【００２２】
＜実施形態１＞
本発明の実施形態１を図１から図７を参照しつつ説明する。本実施形態の貯蔵庫として、温冷カート１０を例示し、以降の説明では、図１及び図２のＸ方向を前方、Ｚ方向を上方、Ｙ方向を左方とする。
【００２３】
温冷カート１０は、図１に示すように、冷蔵機能と温蔵機能を兼ね備えた、手押し車型の配膳車であり、箱状の本体部１２を備えている。本体部１２は、図１、図２に示すように、後方に配された温蔵室（第１の貯蔵室）１４と、前方に配された冷蔵室（第２の貯蔵室）１６と、冷蔵室１６の下方に配された機械室１８と、を備えている。
【００２４】
本体部１２の下面には、複数個の車輪２０が設けられており、本体部１２の上面には、天板２２が設けられており、天板２２の後端には、ハンドル２４が設けられている。本体部１２の左側面には、両開き式の一対の扉２６、及び、閉状態の扉２６の間に配される上下方向に延びたオペレーションパネル２８が設けられている。
【００２５】
機械室１８には、図２に示すように、冷凍機器類３０が設けられており、冷凍機器類３０は、圧縮機３２、凝縮器、及び、凝縮器ファン３４を備えている。冷蔵室１６には、冷蔵室１６内を冷却する冷却器（図示せず）が設けられており、冷凍機器類３０と冷却器とは、冷媒管により循環接続されている。これにより、冷凍回路が構成されている。温蔵室１４には、温蔵室１４内を加熱するヒータ３６が設けられている。
【００２６】
オペレーションパネル２８の上部には、図１に示すように、ユーザからの入力を受け付ける操作部３８が設けられている。操作部３８は、図５に示すように、制御部４０と電気的に接続されている。制御部４０は、マイクロコントローラを備えた電子基板であり、オペレーションパネル２８の裏側（右側）に配されている。
【００２７】
操作部３８は、図３、図５に示すように、表示部４２と、運転スイッチ４６と、設定スイッチ４４と、を備えている。
【００２８】
表示部４２は、図３に示すように、温蔵室１４に関する情報を表示可能な第１の表示部４８と、冷蔵室１６に関する情報を表示可能な第２の表示部５０とから構成されており、図５に示すように、それぞれが制御部４０に電気的に接続されている。
【００２９】
運転スイッチ４６は、図３に示すように、温蔵室１４の運転の入／切に関する入力を受け付ける第１の運転スイッチ５２と、冷蔵室１６の運転の入／切に関する入力を受け付ける第２の運転スイッチ５４とから構成されており、図５に示すように、それぞれが制御部４０に電気的に接続されている。
【００３０】
設定スイッチ４４は、図３に示すように、タイマに関する設定の入力を受け付ける入タイマスイッチ５５と、温蔵室１４の設定に関する入力を受け付ける第１の設定スイッチ５６と、冷蔵室１６の設定に関する入力を受け付ける第２の設定スイッチ５８と、上昇ボタン６０と、下降ボタン６２と、から構成されており、図５に示すように、それぞれが制御部４０に電気的に接続されている。
【００３１】
制御部４０には、図５に示すように、ヒータ３６が電気的に接続されており、制御部４０からヒータ３６に制御信号が送信されると、ヒータ３６が作動して温蔵室１４内が加熱され、温蔵室１４内の室内温度が上昇する（第１の温度変更手段）。温蔵室１４内には、第１の温度センサ６４が設けられており、第１の温度センサ６４は、制御部４０に接続されている。
【００３２】
制御部４０には、圧縮機３２及び凝縮器ファン３４が電気的に接続されており、制御部４０からそれぞれの機器に制御信号が送信されると、冷凍回路が作動して冷蔵室１６内が冷却され、冷蔵室１６内の室内温度が低下する（第２の温度変更手段）。冷蔵室１６内には、第２の温度センサ６６が設けられており、第２の温度センサ６６は、制御部４０に接続されている。
【００３３】
制御部４０は、演算部６８と、記憶部７０と、受信部７２と、運転開始制御部７４と、表示処理部７６と、時間情報入力処理部（時刻情報入力手段）７８と、設定温度入力処理部８０と、室内温度取得部８２と、設定温度取得部８４と、時間情報取得部８６と、温度変更制御部８８と、開始信号取得部９０と、復帰処理制御部９２と、ヒータ監視制御部９４と、を備えている。
【００３４】
温蔵室１４及び冷蔵室１６に関する設定及び運転制御は、それぞれ独立して行われ、温蔵室１４又は冷蔵室１６のいずれか一方のみ運転させることもできるし、温蔵室１４及び冷蔵室１６を同時に運転させることもできる。以降の説明では、温蔵室１４と冷蔵室１６とで重複する記載については、冷蔵室１６の説明を、温蔵室１４に関する記載の後に「（）」で記載する。
【００３５】
記憶部７０は、所謂、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ、不揮発性メモリ）であり、記憶部７０には、温蔵室１４（冷蔵室１６）の時間情報、及び、温蔵室１４（冷蔵室１６）の設定温度に関する情報等が記憶される。ここで、時間情報は、温蔵室１４（冷蔵室１６）の運転を開始するまでの時間（設定時間）に関する情報である。
【００３６】
受信部７２は、外部の端末９６から送信された情報を、インターネット回線Ｃを介して受信する。外部の端末９６は、所謂、スマートフォンであって、情報が入力可能な入力部９８（例えば、タッチパネル等）と、入力部９８から入力された情報を温冷カート１０に送信する送信部１００と、から構成されている。外部の端末９６の入力部９８から入力される情報は、温蔵室１４（冷蔵室１６）の時間情報（設定時間）、温蔵室１４（冷蔵室１６）の運転開始に関する情報（開始信号）である。ここで、運転開始に関する情報には、温蔵室１４（冷蔵室１６）の通常運転モードの開始信号、及び、温蔵室１４（冷蔵室１６）のタイマ運転モードの開始信号がある。
【００３７】
時間情報入力処理部７８は、操作部３８、又は、外部の端末９６から温蔵室１４（冷蔵室１６）の時間情報が入力された場合に、温蔵室１４（冷蔵室１６）の時間情報を記憶部７０に記憶する処理を実行する。
【００３８】
操作部３８から時間情報（設定時間）が入力された場合の、時間情報入力処理部７８のフローを説明する。先ず、ユーザにより、操作部３８の入タイマスイッチ５５、及び、第１の設定スイッチ５６（冷蔵室１６の場合は、第２の設定スイッチ５８）が押されると、時間情報入力処理部７８は、第１の表示部４８（冷蔵室１６の場合は、第２の表示部５０）に記憶部７０に記憶されている設定時間を表示する処理を実行する。次に、上昇ボタン６０又は下降ボタン６２が操作されると、第１の表示部４８（冷蔵室１６の場合は、第２の表示部５０）に、上昇後又は下降後の温蔵室１４（冷蔵室１６）の設定時間を表示する処理を実行する。このとき、設定時間は０．５時間単位で設定され、上昇ボタン６０が１回押されると、０．５時間加算した設定時間を第１の表示部４８（冷蔵室１６の場合は、第２の表示部５０）に表示し、下降ボタン６２が１回押されると、０．５時間減算した設定時間を第１の表示部４８（冷蔵室１６の場合は、第２の表示部５０）に表示する。次に、第１の設定スイッチ５６（冷蔵室１６の場合は、第２の設定スイッチ５８）が離されると、変更後の温蔵室１４（冷蔵室１６）の設定時間を記憶部７０に記憶する処理を実行する。上記操作を複数回行い、複数の設定時間を記憶部７０に記憶することも可能である。
【００３９】
外部の端末９６から時間情報（設定時間）が入力された場合の、時間情報入力処理部７８のフローを説明する。外部の端末９６より入力された設定時間が温冷カート１０に送信されると、時間情報入力処理部７８は、受信部７２より受信した設定時間を記憶部７０に記憶する処理を実行する。上記操作を複数回行い、複数の設定時間を記憶部７０に記憶することも可能である。
【００４０】
時間情報取得部８６は、記憶部７０に記憶された温蔵室１４（冷蔵室１６）の時間情報（設定時間）を取得する処理を実行する。
【００４１】
設定温度入力処理部８０は、操作部３８から温蔵室１４（冷蔵室１６）の設定温度が入力された場合に、入力された温蔵室１４（冷蔵室１６）の設定温度を記憶部７０に記憶する。
【００４２】
設定温度入力処理部８０のフローについて説明する。先ず、ユーザにより、操作部３８の第１の設定スイッチ５６（冷蔵室１６の場合は、第２の設定スイッチ５８）が押されると、設定温度入力処理部８０は、第１の表示部４８（冷蔵室１６の場合は、第２の表示部５０）に記憶部７０に記憶されている温蔵室１４（冷蔵室１６）の設定温度を表示する処理を実行する。次に、上昇ボタン６０又は下降ボタン６２が操作されると、第１の表示部４８（冷蔵室１６の場合は、第２の表示部５０）に、上昇後又は下降後の温蔵室１４（冷蔵室１６）の設定温度を表示する処理を実行する。次に、第１の設定スイッチ５６（冷蔵室１６の場合は、第２の設定スイッチ５８）が離されると、変更後の温蔵室１４（冷蔵室１６）の設定温度に関する情報を記憶部７０に記憶する処理を実行する。
【００４３】
室内温度取得部８２は、温蔵室１４（冷蔵室１６）内の第１の温度センサ６４（冷蔵室１６の場合は、第２の温度センサ６６）から室内温度に関する情報を取得する処理を実行する。
【００４４】
設定温度取得部８４は、記憶部７０に記憶された温蔵室１４（冷蔵室１６）の設定温度を取得する処理を実行する。
【００４５】
温度変更制御部８８は、第１の温度変更制御部１０２と、第２の温度変更制御部１０４と、から構成されている。第１の温度変更制御部１０２は、室内温度取得部８２により取得した温蔵室１４の室内温度が、設定温度取得部８４により取得した温蔵室１４の設定温度となるように、ヒータ３６を制御する。第２の温度変更制御部１０４は、室内温度取得部８２により取得した冷蔵室１６の室内温度が、設定温度取得部８４により取得した冷蔵室１６の設定温度となるように、冷凍機器類３０（圧縮機３２及び凝縮器ファン３４）を制御する。
【００４６】
開始信号取得部９０は、第１の開始信号取得部１０６と、第２の開始信号取得部１０８と、から構成されている。第１の開始信号取得部１０６は、外部の端末９６から温蔵室１４の開始信号が送信された場合に、受信部７２から温蔵室１４の開始信号を取得する処理を実行する。第２の開始信号取得部１０８は、外部の端末９６から冷蔵室１６の開始信号が送信された場合に、受信部７２から冷蔵室１６の開始信号を取得する処理を実行する。
【００４７】
運転開始制御部７４は、温蔵室１４の運転の開始に関する制御を行う第１制御部１１０と、冷蔵室１６の運転の開始に関する制御を行う第２制御部１１２とから構成されている。
【００４８】
第１制御部１１０の動作を、図６のフロー図を用いて説明する。先ず、温冷カート１０の電源が投入されると、操作部３８又は外部の端末９６からの入力待ちを行う待機処理を実行する（Ｓ１００）。次に、通常運転モードに移行する場合は（Ｓ１０１）、第１の温度変更制御部１０２の動作を開始する処理を実行する（Ｓ１０６）。ここで、通常運転モードへの移行は、待機処理の実行中に、ユーザにより入タイマスイッチ５５が押されていない状態で、第１の運転スイッチ５２が押された場合、又は、第１の開始信号取得部１０６により、通常運転モードの開始信号を取得した場合のいずれかにより移行する。一方、タイマ運転モードに移行する場合は（Ｓ１０２）、先ず、時間情報取得部８６により、温蔵室１４の時間情報（設定時間）を取得する処理を実行する（Ｓ１０３）。ここで、タイマ運転モードへの移行は、待機処理の実行中に、ユーザにより入タイマスイッチ５５が押された状態で第１の運転スイッチ５２が押された場合、又は、第１の開始信号取得部１０６により、タイマ運転の開始信号を取得した場合のいずれかにより移行する。次に、タイマ運転モードが開始された時から設定時間の経過後の時刻になるまでをカウントするカウントダウン処理を実行する（Ｓ１０４）。次に、カウントの残り時間が０になったら（Ｓ１０５）、第１の温度変更制御部１０２の動作を開始する処理を実行する（Ｓ１０６）。
【００４９】
温蔵室１４の設定時間が記憶部７０に複数記憶されている場合、それぞれの設定時間に対してカウント処理が行われ、カウントの残り時間が０になったら、都度、第１の温度変更制御部１０２の動作を開始する処理を実行する。
【００５０】
第２制御部１１２の動作を、図６のフロー図を用いて説明する。先ず、温冷カート１０の電源が投入されると、操作部３８又は外部の端末９６からの入力待ちを行う待機処理を実行する（Ｓ２００）。次に、通常運転モードに移行する場合は（Ｓ２０１）、第２の温度変更制御部１０４の動作を開始する処理を実行する（Ｓ２０６）。ここで、通常運転モードへの移行は、待機処理の実行中に、ユーザにより入タイマスイッチ５５が押されていない状態で、第２の運転スイッチ５４が押された場合、又は、第２の開始信号取得部１０８により、タイマ運転の開始信号を取得した場合のいずれかにより移行する。一方、タイマ運転モードに移行する場合は（Ｓ２０２）、先ず、時間情報取得部８６により、冷蔵室１６の時間情報（設定時間）を取得する処理を実行する（Ｓ２０３）。ここで、タイマ運転モードへの移行は、待機処理の実行中に、ユーザにより入タイマスイッチ５５が押された状態で第２の運転スイッチ５４が押された場合、又は、第２の開始信号取得部１０８により、タイマ運転の開始信号を取得した場合のいずれかにより移行する。次に、タイマ運転モードが開始された時から設定時間の経過後の時刻になるまでをカウントするカウントダウン処理を実行する（Ｓ２０４）。次に、カウントの残り時間が０になったら（Ｓ２０５）、第２の温度変更制御部１０４の動作を開始する処理を実行する（Ｓ２０６）。
【００５１】
冷蔵室１６の設定時間が記憶部７０に複数記憶されている場合、それぞれの設定時間に対してカウント処理が行われ、カウントの残り時間が０になったら、都度、第２の温度変更制御部１０４の動作を開始する処理を実行する。
【００５２】
表示処理部７６は、第１の表示部４８に情報を表示する制御を行う第１の表示処理部１０５と、第２の表示部５０に情報を表示する制御を行う第２の表示処理部１０７とから構成されている。
【００５３】
第１の表示処理部１０５の動作を、図７のフロー図を用いて説明する。先ず、待機処理の実行中は、第１の表示部４８に待機中であることを示す「―――」の文字を表示する処理を実行する（Ｓ３００）。次に、通常運転モードに移行した場合は（Ｓ３０１）、第１の表示部４８に室内温度取得部８２により取得した温蔵室１４の室内温度を表示する処理を実行する（Ｓ３０５）。一方、タイマ運転モードに移行した場合は、先ず、第１の表示部４８にカウントの残り時間を表示する処理を実行する（Ｓ３０３）。ここで、第１の表示部４８に表示する残り時間は、０．５時間単位で表示する。次に、残り時間が０になったら（Ｓ３０４）、第１の表示部４８に室内温度取得部８２より取得した温蔵室１４の室内温度を表示する処理を実行する（Ｓ３０５）。
【００５４】
第２の表示処理部１０７の動作を、図７のフロー図を用いて説明する。先ず、待機処理の実行中は、第２の表示部５０に待機中であることを示す「―――」の文字を表示する処理を実行する（Ｓ４００）。次に、通常運転モードに移行した場合は（Ｓ４０１）、第２の表示部５０に室内温度取得部８２により取得した冷蔵室１６の室内温度を表示する処理を実行する（Ｓ４０５）。一方、タイマ運転モードに移行した場合は、先ず、第２の表示部５０にカウントの残り時間を表示する処理を実行する（Ｓ４０３）。ここで、第２の表示部５０に表示する残り時間は、０．５時間単位で表示する。次に、残り時間が０になったら（Ｓ４０４）、第２の表示部５０に室内温度取得部８２より取得した冷蔵室１６の室内温度を表示する処理を実行する（Ｓ４０５）。
【００５５】
復帰処理制御部９２は、現在の運転状態に関する情報を記憶部７０に記憶する処理と、温冷カート１０の電源が切断され、電源が復帰した際に、記憶した運転設定で運転を再開する再開処理と、を実行する。ここで、運転状態に関する情報とは、運転モード（待機状態、通常運転モード、タイマ運転モードのいずれか）に関する情報、設定温度に関する情報、及び、時間情報（設定時間）である。復帰処理制御部９２を動作させるか否かの設定は、ユーザが行うことが可能となっている。また、復帰処理制御部９２を動作させるか否かの設定は、温蔵室１４と冷蔵室１６とで、個別に設定を行うことはできない構成とされているが、個別に設定を行うことが可能な構成としても良い。なお、復帰処理制御部９２が動作していない場合、温冷カート１０は、電源復帰の際に待機状態となる。
【００５６】
ヒータ監視制御部９４は、ヒータ３６の通電開始時からの作動時間を取得する作動時間取得処理と、取得した作動時間が３時間以上の場合に、ヒータ３６の連続通電エラーを発報するエラー発報処理と、エラー発報時の温蔵室１４の室内温度を取得し、記憶部７０に記憶するエラー時温度記憶処理と、を実行する。記憶されたエラー発報時の温蔵室１４の室内温度は、メンテナンス時に、サービスマンが確認することが可能となっており、エラーの原因を推定し易くしている。例えば、記憶された温蔵室１４の室内温度が、７０℃以上であれば、第１の温度センサ６４の異常が疑われ、７０℃未満３０℃以上であれば扉２６が開いていたことが疑われ、３０℃未満であれば、ヒータ３６の断線等が疑われる。なお、上記のエラー時温度記憶処理は、エラー発報時の温蔵室１４の室内温度を記憶していたが、その他に、エラー発報時の時刻情報を記憶しても良いし、ヒータ３６の通電開始からの温蔵室１４の室内温度履歴を記憶しても良い。
【００５７】
本実施形態によれば、以下の作用、効果を奏する。
本実施形態の温冷カート（貯蔵庫）１０は、温蔵室（第１の貯蔵室）１４と、冷蔵室（第２の貯蔵室）１６と、温蔵室（第１の貯蔵室）１４の室内温度を変更する第１の温度変更手段と、冷蔵室（第２の貯蔵室）１６の室内温度を変更する第２の温度変更手段と、温蔵室（第１の貯蔵室）１４または冷蔵室（第２の貯蔵室）１６における室内温度の変更を開始する時刻に関する時間情報を入力するための時間情報入力処理部（時刻情報入力手段）７８と、第１の温度変更手段及び第２の温度変更手段を個別に制御する制御部４０と、を備え、制御部４０は、時間情報入力処理部（時刻情報入力手段）７８において温蔵室（第１の貯蔵室）１４における室内温度の変更を開始する時刻に関する時間情報が入力された場合に、その入力された情報に基づく時刻において、第１の温度変更手段の動作を開始する制御を行う第１制御部１１０と、時間情報入力処理部（時刻情報入力手段）７８において冷蔵室（第２の貯蔵室）１６における室内温度の変更を開始する時刻に関する時間情報が入力された場合に、その入力された情報に基づく時刻において、第２の温度変更手段の動作を開始する制御を行う第２制御部１１２と、を備える。
【００５８】
入力された時間情報に基づく時刻までに温蔵室（第１の貯蔵室）１４及び冷蔵室（第２の貯蔵室）１６の予熱又は予冷をしておくことが可能となる。また、温蔵室（第１の貯蔵室）１４及び冷蔵室（第２の貯蔵室）１６の予熱又は予冷をしておくために、前日から貯蔵庫を運転させておく場合と比較して電気料金が削減される。また、当日の早朝に温冷カート（貯蔵庫）１０を運転させる必要もなくなる。また、前もって入力された時間情報に基づく時刻を設定しておくことで、予熱又は予冷をし忘れることが抑制される。
また、例えば、温蔵室（第１の貯蔵室）１４及び冷蔵室（第２の貯蔵室）１６を予熱及び予冷する際、温蔵室（第１の貯蔵室）１４の設定温度に到達するまでの時間が冷蔵室（第２の貯蔵室）１６の設定温度に到達するまでの時間よりも早い場合に、温蔵室（第１の貯蔵室）１４の時間情報に基づく時刻を冷蔵室（第２の貯蔵室）１６の時間情報に基づく時刻よりも遅い時刻に設定することで、それぞれ同じ時刻に設定する場合と比較して、温蔵室（第１の貯蔵室）１４の運転時間が短くなり、効率的に運転させることができる。
【００５９】
また、時間情報入力処理部（時刻情報入力手段）７８に入力される時刻に関する時間情報は、その入力があった時から、入力された設定時間の経過後の時刻である構成としても良い。
【００６０】
運転開始までの設定時間を設定することで、例えば、１時間後に運転を開始させたい場合、時刻で設定する場合と比較して、容易に設定することができる。
【００６１】
また、温蔵室（第１の貯蔵室）１４および／または冷蔵室（第２の貯蔵室）１６の室内温度を取得する室内温度取得部（温度取得手段）８２と、情報を表示可能な表示部４２と、を備え、制御部４０は、表示部４２に時間情報に基づく時刻に到達するまでの残り時間を表示させ、時間情報に基づく時刻に到達した後は、表示部４２に取得した室内温度を表示させる表示処理を実行する構成としても良い。
【００６２】
１つの表示部４２に、時間情報に基づく時刻前は残り時間を表示させ、時間情報に基づく時刻後は室内温度を表示させるようにすることで、異なる表示部にそれぞれ残り時間及び室内温度を表示させる場合と比較して、コストの低減を図ることができる。
【００６３】
また、時間情報入力処理部（時刻情報入力手段）７８に入力される時刻に関する時間情報を記憶する記憶部（記憶手段）７０を備え、記憶部（記憶手段）７０は、時間情報を複数記憶可能とされ、第１制御部１１０および／または第２制御部１１２は、記憶部（記憶手段）７０に複数記憶された時間情報毎に、第１の温度変更手段および／または第２の温度変更手段の動作を開始する構成としても良い。
【００６４】
時間情報を複数記憶できるため、例えば、１日に、朝、昼、夕の３回予熱又は予冷をする必要がある場合に、まとめて時間情報を設定しておくことが可能となる。
【００６５】
また、前記時刻情報入力手段は、当該温冷カート（貯蔵庫）１０とは分離された外部の端末９６である構成としても良い。
【００６６】
外部の端末９６（例えば、パーソナルコンピュータ、スマートフォン等）に入力された時間情報を取得することで、例えば、時間情報を変更する際に、温冷カート（貯蔵庫）１０のある場所に移動しなくても変更することができる。
【００６７】
また、外部の端末９６から第１制御部１１０および／または第２制御部１１２の動作を開始する開始信号を取得する開始信号取得手段を備える構成としても良い。
【００６８】
外部の端末９６から開始信号を取得することで、温冷カート（貯蔵庫）１０のある場所に移動しなくても温冷カート（貯蔵庫）１０の第１制御部１１０および／または第２制御部１１２の動作を開始させることができる。
＜実施形態２＞
本発明の実施形態２を図８から図１０を参照しつつ説明する。
本実施形態の温冷カート１０の制御部４０Ａは、図８に示すように、内部タイマから現在時刻を取得する現在時刻取得部（時刻取得手段）１１４を備える。また、制御部４０の時間情報入力処理部７８Ａ、時間情報取得部８６Ａ、運転開始制御部７４Ａ、及び表示処理部７６Ａの動作が、実施形態１の時間情報取得部８６、運転開始制御部７４、及び表示処理部７６とは異なる。また、実施形態２の時間情報は、温蔵室１４（冷蔵室１６）の運転を開始する設定時刻に関する情報である。その他の動作は、実施形態１のものと同じ構成となっている。
【００６９】
時間情報入力処理部（時刻情報入力手段）７８Ａは、操作部３８、又は、外部の端末９６から温蔵室１４（冷蔵室１６）の時間情報が入力された場合に、温蔵室１４（冷蔵室１６）の時間情報を記憶部７０に記憶する処理を実行する。
【００７０】
操作部３８から時間情報（設定時刻）が入力された場合の、時間情報入力処理部７８Ａのフローを説明する。先ず、ユーザにより、操作部３８の入タイマスイッチ５５、及び、第１の設定スイッチ５６（冷蔵室１６の場合は、第２の設定スイッチ５８）が押されると、時間情報入力処理部７８は、第１の表示部４８（冷蔵室１６の場合は、第２の表示部５０）に記憶部７０に記憶されている設定時刻を表示する処理を実行する。次に、上昇ボタン６０又は下降ボタン６２が操作されると、第１の表示部４８（冷蔵室１６の場合は、第２の表示部５０）に、上昇後又は下降後の温蔵室１４（冷蔵室１６）の設定時刻を表示する処理を実行する。このとき、設定時間は１分単位で設定され、上昇ボタン６０が１回押されると、１分加算した設定時刻を第１の表示部４８（冷蔵室１６の場合は、第２の表示部５０）に表示し、下降ボタン６２が１回押されると、１分減算した設定時刻を第１の表示部４８（冷蔵室１６の場合は、第２の表示部５０）に表示する。次に、第１の設定スイッチ５６（冷蔵室１６の場合は、第２の設定スイッチ５８）が離されると、変更後の温蔵室１４（冷蔵室１６）の設定時刻を記憶部７０に記憶する処理を実行する。上記操作を複数回行い、複数の設定時刻を記憶部７０に記憶することも可能である。
【００７１】
外部の端末９６から時間情報（設定時刻）が入力された場合の、時間情報入力処理部７８Ａのフローを説明する。外部の端末９６より入力された設定時刻が温冷カート１０に送信されると、時間情報入力処理部７８Ａは、受信部７２より受信した設定時刻を記憶部７０に記憶する処理を実行する。
【００７２】
時間情報取得部８６Ａは、記憶部７０に記憶された温蔵室１４（冷蔵室１６）の時間情報（設定時刻）を取得する処理を実行する。
【００７３】
運転開始制御部７４Ａは、温蔵室１４の運転の開始に関する制御を行う第１制御部１１０Ａと、冷蔵室１６の運転の開始に関する制御を行う第２制御部１１２Ａとから構成されている。
【００７４】
第１制御部１１０Ａの動作を、図９のフロー図を用いて説明する。先ず、温冷カート１０の電源が投入されると、待機処理を実行する（Ｓ１００Ａ）。次に、通常運転モードに移行する場合は（Ｓ１０１Ａ）、第１の温度変更制御部１０２の動作を開始する処理を実行する（Ｓ１０６Ａ）。一方、タイマ運転モードに移行する場合は（Ｓ１０２Ａ）、先ず、時間情報取得部８６Ａにより、温蔵室１４の時間情報（設定時刻）を取得する処理を実行する（Ｓ１０３Ａ）。次に、現在時刻取得部１１４により、現在時刻を取得する（Ｓ１０４Ａ）。次に、取得した現在時刻が設定時刻と同じ時刻であれば（Ｓ１０５Ａ）、第１の温度変更制御部１０２の動作を開始する処理を実行する（Ｓ１０６Ａ）。
【００７５】
第２制御部１１２Ａの動作を、図９のフロー図を用いて説明する。先ず、温冷カート１０の電源が投入されると、待機処理を実行する（Ｓ２００Ａ）。次に、通常運転モードに移行する場合は（Ｓ２０１Ａ）、第２の温度変更制御部１０４の動作を開始する処理を実行する（Ｓ２０６Ａ）。一方、タイマ運転モードに移行する場合は（Ｓ２０２Ａ）、先ず、時間情報取得部８６Ａにより、冷蔵室１６の時間情報（設定時刻）を取得する処理を実行する（Ｓ２０３Ａ）。次に、現在時刻取得部１１４により、現在時刻を取得する（Ｓ２０４Ａ）。次に、取得した現在時刻が設定時刻と同じ時刻であれば（Ｓ２０５Ａ）、第２の温度変更制御部１０４の動作を開始する処理を実行する（Ｓ２０６Ａ）。
【００７６】
表示処理部７６Ａは、第１の表示部４８に情報を表示する制御を行う第１の表示処理部１０５Ａと、第２の表示部５０に情報を表示する制御を行う第２の表示処理部１０７Ａとから構成されている。
【００７７】
第１の表示処理部１０５Ａの動作を、図１０のフロー図を用いて説明する。先ず、待機処理の実行中は、第１の表示部４８に待機中であることを示す「―――」の文字を表示する処理を実行する（Ｓ３００Ａ）。次に、通常運転モードに移行した場合は（Ｓ３０１Ａ）、第１の表示部４８に室内温度取得部８２により取得した温蔵室１４の室内温度を表示する処理を実行する（Ｓ３０５Ａ）。一方、タイマ運転モードに移行した場合は（Ｓ３０２Ａ）、先ず、第１の表示部４８に現在時刻を表示する処理を実行する（Ｓ３０３Ａ）。次に、現在時刻が設定時刻と同じ時刻になったら（Ｓ３０４Ａ）、第１の表示部４８に室内温度取得部８２より取得した温蔵室１４の室内温度を表示する処理を実行する（Ｓ３０５Ａ）。
【００７８】
第２の表示処理部１０７Ａの動作を、図１０のフロー図を用いて説明する。先ず、待機処理の実行中は、第２の表示部５０に待機中であることを示す「―――」の文字を表示する処理を実行する（Ｓ４００Ａ）。次に、通常運転モードに移行した場合は（Ｓ４０１Ａ）、第２の表示部５０に室内温度取得部８２により取得した温蔵室１４の室内温度を表示する処理を実行する（Ｓ４０５Ａ）。一方、タイマ運転モードに移行した場合は（Ｓ４０２Ａ）、先ず、第２の表示部５０に現在時刻を表示する処理を実行する（Ｓ４０３Ａ）。次に、現在時刻が設定時刻と同じ時刻になったら（Ｓ４０４Ａ）、第２の表示部５０に室内温度取得部８２より取得した温蔵室１４の室内温度を表示する処理を実行する（Ｓ４０５Ａ）。
【００７９】
本実施形態によれば、以下の作用、効果を奏する。
本実施形態の温冷カート（貯蔵庫）１０は、現在時刻を取得する現在時刻取得部（時刻取得手段）１１４と、前記温蔵室（第１の貯蔵室）１４および／または冷蔵室（前記第２の貯蔵室）１６の室内温度を取得する室内温度取得部（温度取得手段）８２と、情報を表示可能な表示部４２と、を備え、前記制御部４０は、前記時間情報に基づく前記室内温度の変更を開始する時刻前は、前記現在時刻を表示させ、前記時間情報に基づく前記室内温度の変更を開始する時刻後は、前記表示部４２に取得した前記室内温度を表示させる表示処理を実行する。
【００８０】
１つの表示部４２に、時間情報に基づく設定温度の変更を開始する時刻前は現在時刻を表示させ、時間情報に基づく設定温度の変更を開始する時刻後は室内温度を表示させるようにすることで、異なる表示部にそれぞれ現在時刻及び室内温度を表示させる場合と比較して、コストの低減を図ることができる。
【００８１】
＜他の実施形態＞
本発明は上記記述及び図面によって説明した実施形態に限定されるものではなく、例えば次のような実施形態も本発明の技術的範囲に含まれる。
（１）上記実施形態では、貯蔵庫として、温冷カート１０を例示したが、これに限られることはなく、例えば、貯蔵庫は、温蔵室のみのカートであっても良いし、移動式でない一般的な箱型の冷蔵庫であっても良い。
（２）上記実施形態では、外部の端末９６はスマートフォンである構成としたが、これに限られることはなく、例えば、外部の端末９６はパーソナルコンピュータであっても良い。
（２）上記実施形態２では、現在時刻の取得は、内部タイマから取得する構成としたが、外部タイマから現在時刻を取得する構成としても良い。外部タイマとして、例えば、原子時計から電波により現在時刻を取得する構成としても良いし、一般のデイリータイマ、ウィークリータイマ、及び年間タイマ等の出力から現在時刻を取得する構成としても良い。
【符号の説明】
【００８２】
１０：温冷カート（貯蔵庫）
１４：温蔵室（第１の貯蔵室）
１６：冷蔵室（第２の貯蔵室）
４０，４０Ａ：制御部
４２：表示部
７０：記憶部
７８，７８Ａ：時間情報入力処理部
８２：室内温度取得部
９６：外部の端末
１１０，１１０Ａ：第１制御部
１１２，１１２Ａ：第２制御部
１１４：現在時刻取得部
【図１】
2019190715.tif 000003
【図２】
2019190715.tif 000004
【図３】
2019190715.tif 000005
【図４】
2019190715.tif 000006
【図５】
2019190715.tif 000007
【図６】
2019190715.tif 000008
【図７】
2019190715.tif 000009
【図８】
2019190715.tif 000010
【図９】
2019190715.tif 000011
【図１０】
2019190715.tif 000012